(57)【要約】【課題】優待券、広告物の配布を直接の人手を介さず行い、優待券における優待利用状況を確認できるようにする。【解決手段】駐車券面に予め特定店舗の優待情報を印刷した駐車券を駐車券発行機により発行することにより優待券を配布する。駐車券発行と連動して広告物を広告物発行機により発行する。優待券には、優待利用状況の磁気記録領域を備え、発行された駐車券の前記磁気記録領域をカードリーダにより読み取り、優待利用が可能かを判定するとともに優待利用可能の場合に所定の利用状況を書き込むとともに優待利用済の場合は印刷機により駐車券に優待利用済である旨の印刷をする。【選択図】  図1
2009003741.tif 000002
【特許請求の範囲】
【請求項１】
駐車券面に予め特定店舗の優待情報を印刷した駐車券を駐車券発行機により発行することを特徴とする優待券配布方式。
【請求項２】
駐車券面に予め特定店舗の優待情報を印刷し、優待利用状況の磁気記録領域を備えた駐車券を駐車券発行機により発行することを特徴とする優待券配布方式。
【請求項３】
駐車券面に予め特定店舗の優待情報が印刷され、優待利用状況の磁気記録領域を備えて発行された駐車券の前記磁気記録領域をカードリーダにより読み取り、優待利用が可能かを判定するとともに優待利用可能の場合に所定の利用状況を書き込むとともに優待利用済の場合は印刷機により駐車券に優待利用済である旨の印刷をすることを特徴とする優待券記録方式。
【請求項４】
予め印刷された特定店舗の広告物を駐車券発行機の駐車券発行の信号を受けて駐車券発行と同時に駐車券発行機とは別の広告物発行機により発行することを特徴とする駐車券発行方式。
【請求項５】
発行された広告物が所定時間後にとられない場合に当該広告物が広告物発行機に回収されることを特徴とする請求項５に記載の駐車券発行方式。
【発明の詳細な説明】
【技術分野】
【０００１】
本発明は、店舗の販売促進に用いられる優待券の配布及び配布された優待券に優待利用状況を記録する方式及び駐車券を発行する方式並びに駐車券発行機と連動して広告物を配布する方式に関するものである。
【背景技術】
【０００２】
従来、飲食店等の販売促進活動として不特定多数の人に優待券又は広告物を配布する場合、配布用優待券又は広告内容を印刷して、販売活動期間中に配布人を雇用し、通行人に一人ずつに配布するなどの方法をとっていた。そのため配布人の経費が必要であった。
【発明の開示】
【発明が解決しようとする課題】
【０００３】
解決しようとする課題の１つは、優待券及び広告物の配布を直接の人手を介さず行うことにある。
解決しようとする課題の他の１つは、優待券における優待利用状況を確認できるようにすることにある。
【課題を解決するための手段】
【０００４】
上記課題を解決するための請求項１に係る発明は、優待券配布方式であって、駐車券面に予め特定店舗の優待情報を印刷した駐車券を駐車券発行機により発行することを特徴とするものである。
【０００５】
請求項２に係る発明は、優待券配布方式であって、駐車券面に予め特定店舗の優待情報を印刷し、優待利用状況の磁気記録領域を備えた駐車券を駐車券発行機により発行することを特徴とするものである。
【０００６】
請求項３に係る発明は、優待券記録方式であって、駐車券面に予め特定店舗の優待情報が印刷され、優待利用状況の磁気記録領域を備えて発行された駐車券の前記磁気記録領域をカードリーダにより読み取り、優待利用が可能かを判定するとともに優待利用可能の場合に所定の利用状況を書き込むとともに優待利用済の場合は印刷機により駐車券に優待利用済である旨の印刷をするものである。
【０００７】
請求項４に係る発明は、駐車券発行方式であって、予め印刷された特定店舗の広告物を駐車券発行機の駐車券発行の信号を受けて駐車券発行と同時に駐車券発行機とは別の広告物発行機により発行することを特徴とするものである。
【０００８】
請求項５に係る発明は、請求項４記載の駐車券発行方式において、発行された広告物が所定時間後にとられない場合に当該広告物が広告物発行機に回収されることを特徴とするものである。
【発明の効果】
【０００９】
請求項１に係る優待券配布方式によると、駐車場の駐車券発行機が発行する駐車券の券面に特定店舗の優待情報を予め印刷しておくから、優待券を直接の人手を介さずに配布することができ、駐車場設置範囲を考慮すればより効率的に配布することができる。
【００１０】
請求項２に係る優待券配布方式によると、駐車場の駐車券発行機が発行する駐車券の券面に特定店舗の優待情報を予め印刷し、優待利用状況の磁気記録領域を備えるから、磁気記録領域に優待利用状況を記録することができ、配布された駐車券面に「優待済」等の優待利用状況を印刷しないで記録を残すことができ、駐車券及び優待券としての表示に悪影響を与えることがなく、優待を提供する店舗の印象を薄れさせることがない。
【００１１】
請求項３に係る優待券記録方式によると、駐車券面に予め特定店舗の優待情報が印刷され、優待利用状況の磁気記録領域を備えて発行された駐車券の前記磁気記録領域をカードリーダにより読み取り、優待利用が可能かを判定するとともに優待利用可能の場合に所定の利用状況を書き込むとともに優待利用済の場合は印刷機により駐車券に優待利用済である旨の印刷をするから、所定回すなわち１回又は複数回の優待を受けることができ、優待済みの場合は券面に印刷をして外部から確認でき、履歴に応じたサービス提供を可能となる。
【００１２】
請求項４に係る駐車券発行方式によると、予め印刷された特定店舗の広告物を駐車券発行機の駐車券発行の信号を受けて駐車券発行と同時に駐車券発行機とは別の広告物発行機により発行するから、駐車場において人手を介することなく広告物を配布することができ、広告物発行機を既存の駐車券発行機に並べるだけで簡単に実現することができる。
【００１３】
請求項５に係る駐車券発行方式によると、発行された広告物が所定時間後にとられない場合に回収されるから、常に新しい広告物を提供することができる。
【実施例１】
【００１４】
本発明は、地域密着型の優待券配布方式、駐車券発行方式を提供するものであり、駐車場の駐車券発行機を利用して、配布人を配置することなく駐車場利用者に優待券又は広告物を配布することが可能となる。図１は、本発明の実施例を説明する図であり、図１（ａ）は駐車券の一例を示す図、図１（ｂ）は全体のシステム図の例であり、１０１は駐車券、１０２は駐車券発行機、１０３は広告物発行機、１０４は優待券提携店のカードリードライタ、１０５は優待券提携店の印刷機、１０６は優待券提携店である。
駐車券１０１は駐車券発行機１０２から発行される。券面には駐車券である旨の駐車券表示１０１ａ、さらに駐車券として駐車場入場時刻１０１ｂ、発行番号１０１ｃ及びその他駐車券として必要な事項が発行時に図示しない印刷装置により表示されるように印刷される。さらに、駐車券１０１の用紙の例えば下方部分には優待情報印刷部１０１ｄを設定しておき、優待情報がその優待情報印刷部１０１ｄに印刷される。また、駐車券１０１の裏面には磁気記録部を備え、この磁気記録部に優待利用状況磁気記録領域１０１ｅを設定する。優待利用状況磁気記録領域１０１ｅにはこの優待情報に対応した回数の優待を受けたこと、例えば優待利用可能回数が１回の場合は１回、複数回の場合はその回数分を記録することができる。
例えば、販売促進をしようとし、その優待情報を配布しようとする例えば飲食店等は、駐車場と優待券配布契約をしておき、予め優待情報を優待情報印刷部１０１ｄに印刷し優待利用状況の磁気記録領域を設けておいた駐車券用紙を駐車券発行機１０２の所定場所に収納する。
【００１５】
広告物発行機１０３は、必要により駐車券発行機１０２に隣接して設置され（図２参照）、広告物の収納個所から発行口に搬送される機構を備え、広告物として例えば広告内容を印刷した紙面あるいは景品を発行する。例えば、販売促進をしようとし、その宣伝広告のため広告物を配布しようとする例えば飲食店等は、駐車場と広告物配布契約をしておき、図１のように、予め広告物を広告物発行機１０３の所定の収納箱１０３ａに収納する。また、広告物発行機１０３には駐車券発行機１０２の駐車券発行信号が接続され、駐車券発行機１０２において駐車券が発行されると同時に広告物発行機１０３より広告物が発行され、広告物発行口１０３ｂに搬送される。また、必要により音声表示されたことにより受け取りを促されて広告物を受け取ることができる。駐車場の広告物発行機１０３から広告物を手にした利用者は、それに印刷された表示内容を知ることができる。
広告物発行口１０３ｂにはセンサ１０３ｃを備え、広告物がとられたことを感知することができ、発行後時間をタイマ１０３ｄにより計数し所定時間後にも広告物の存在を感知しているときは、とられないものとして回収して、所定の回収箱１０３ｅに収納する。１０３ｆは搬送路中に設けられる搬送路方向変更部材であり、図に示した矢印方向に回転可能に取り付けられ、搬送路方向に応じて選択制御される。
【００１６】
駐車場の駐車券発行機１０２から駐車券１０１を手にした利用者は、その券面に印刷された優待情報を提供する例えば特定店舗の割引優待を知って、その優待券提携店１０６で料金精算の際に駐車券１０１を提示して割引優待を受けることができる。このとき、駐車券１０１が優待利用状況磁気記録領域１０１ｅを有し、前記優待券提携店１０６にカードリードライタ１０４が設置されていた場合は、カードリードライタ１０４により前記優待利用状況磁気記録領域１０１ｅを読み取る。カードリードライタ１０４は読み取った優待利用状態すなわち利用可能回数が１回の場合は利用済の記録があるかを否かを判定し、未利用の場合は優待利用であると判定し駐車券１０１の優待利用状況磁気記録領域１０１ｅを利用済に記録する。駐車券１０１はカードリードライタ１０４から印刷機１０５に搬送され、優待利用済である旨の印刷がされて、カードリードライタ１０４の挿入口から返却される。あるいは、カードリードライタ１０４は読み取った優待利用状態すなわち利用可能回数が所定の複数回の場合は記録してある利用済の回数が設定された利用可能回数に達しているかを否かを判定し、利用済回数が利用可能回数に達していない場合は優待利用が可能であると判定し駐車券１０１の優待利用状況磁気記録領域１０１ｅの利用回数に１を加算しあるいは当該回数分の利用状況部分を利用済に記録する。駐車券１０１はカードリードライタ１０４から印刷機１０５に搬送され、利用回数分の表示が印刷あるいは利用回数が利用可能回数に達していた場合は優待利用済である旨の印刷がされて、カードリードライタ１０４の挿入口から返却される。
【００１７】
このように、提携店は、例えば年間キャンペーンを立案したならば、計画の種類に合わせて予め数種類の駐車券を用意しておけばよい。また、キャンペーン期間中以外の期間は、駐車場で用意する駐車券（優待情報を印刷していない駐車券）を使用することで、配布日時を制限することが可能である。提携店舗はクーポン配布料金を、駐車券発行枚数に応じて駐車場側に支払うこととすることで、駐車場は収入を増やすことができる。この枚数は、例えば駐車券に連番の発行番号を付し、所定期間の駐車券を駐車券発行機１０２に収納したときの開始時の最小番号と終了時の最小番号との差をとって発行枚数を知ることができる。あるいは、駐車券発行機１０２にカウンタ１０２ａを備えて、所定期間中の発行枚数を計数させることでその枚数を知ることができる。
優待情報を印刷した駐車券を仮に飲食店側で用意することとなれば、駐車場側は駐車券費用を節約することが可能となる。
【００１８】
上述した例では、広告物発行機１０３は、必要により駐車券発行機１０２に隣接して設置されるが、広告物発行機１０３が設置されるときは、駐車券発行機１０２から発行される駐車券に優待情報を印刷したものを必ずしも用意する必要はない。
【図面の簡単な説明】
【００１９】
【図１】本発明による駐車券の一例及び全体のシステム図の例である。（実施例１）
【図２】本発明による駐車券発行機、広告物発行機の配置例を説明する図である。（実施例１）
【符号の説明】
【００２０】
１０１…駐車券、１０２…駐車券発行機、１０３…広告物発行機、１０４…カードリードライタ、１０５…印刷機、１０１ａ…駐車券表示、１０１ｂ…駐車場入場時刻、１０１ｃ…発行番号、１０１ｄ…優待情報印刷部、１０１ｅ…優待利用状況磁気記録領域、１０２ａ…カウンタ。
【図１】
2009003741.tif 000003
【図２】
2009003741.tif 000004